(57)【要約】【課題】  刈払場所の状況に応じて、金属製円板形状のものと、線材のものとに容易に切換えて使い分けることができる草刈刃を提供することを目的とする。【解決手段】  多数の貫孔７を有する金属製円板刃４を備える。そして、円板刃４の貫孔７に一部分を挿入して固着される取着具１を介して、所定長さのプラスチック製刈払線材５を、円板刃４の外周から外径方向Ｒへ突出状として着脱自在に取着する。取着具１は、円板刃４の裏面と表て面４ｂに当接する裏部品と表て部品３を有する。かつ、円板刃４の近接した２個の貫孔７，７に挿入される位置決め突出部が、裏部品と表て部品３のいずれか一方に突設される。他方には突出部が挿入される凹窪部が凹設される。さらに、取着具１は、突出部と凹窪部を貫通状として相互に螺着する止めネジ６を有する。そして、表て部品３に刈払線材５が取着されている。【選択図】  図１
0003125877.tif 000002
【実用新案登録請求の範囲】
【請求項１】
多数の貫孔（７）を有する金属製円板刃（４）を備え、該円板刃（４）の上記貫孔（７）に一部分を挿入して固着される取着具（１）を介して、所定長さのプラスチック製刈払線材（５）を、上記円板刃（４）の外周から外径方向（Ｒ）へ突出状として着脱自在に取着したことを特徴とする草刈刃。
【請求項２】
多数の貫孔（７）を有する金属製円板刃（４）を備え、該円板刃（４）の上記貫孔（７）に一部分を挿入して固着される取着具（１）を介して、所定長さのプラスチック製刈払線材（５）を、上記円板刃（４）の外周から外径方向（Ｒ）へ突出状として着脱自在に取着するように構成され、
上記取着具（１）は、上記円板刃（４）の裏面（４ａ）と表て面（４ｂ）に当接する裏部品（２）と表て部品（３）を有し、かつ、上記円板刃（４）の近接した２個の上記貫孔（７)(７）に挿入される位置決め突出部（８)(８）が、上記裏部品（２）と表て部品（３）のいずれか一方に突設され、他方には該突出部（８)(８）が挿入される凹窪部（９)(９）が凹設され、さらに、上記取着具（１）は、上記突出部（８）と該凹窪部（９）を貫通状として上記裏部品（２）と表て部品（３）とを相互に螺着する止めネジ（６）を有し、上記表て部品（３）に上記刈払線材（５）が取着されていることを特徴とする草刈刃。
【請求項３】
多数の貫孔（７）を有する金属製円板刃（４）を備え、該円板刃（４）の上記貫孔（７）に一部分を挿入して固着される取着具（１）を介して、所定長さのプラスチック製刈払線材（５）を、上記円板刃（４）の外周から外径方向（Ｒ）へ突出状として着脱自在に取着するように構成され、
上記取着具（１）は、上記円板刃（４）の裏面（４ａ）と表て面（４ｂ）に当接する裏部品（２）と表て部品（３）を有し、かつ、上記円板刃（４）の近接した２個の上記貫孔（７)(７）に挿入される位置決め突出部（８)(８）が、上記裏部品（２）と表て部品（３）のいずれか一方に突設され、他方には該突出部（８)(８）が挿入される凹窪部（９)(９）が凹設され、さらに、上記取着具（１）は、該突出部（８）と凹窪部（９）を貫通状として上記裏部品（２）と表て部品（３）とを相互に螺着する止めネジ（６）を有し、
さらに、上記表て部品（３）は、上記刈払線材（５）を抜き差し自在に差込む保持孔（33）が上記外径方向（Ｒ）に貫設され、かつ、該刈払線材（５）は、上記表て部品（３）の該保持孔（33）に挿入状態で該表て部品（３）に係止して回転遠心力に対し外径方向（Ｒ）へ離脱するのを防ぐ膨出部（15）を、基端（５ａ）に有し、そして、上記表て部品（３）に上記刈払線材（５）が取着されていることを特徴とする草刈刃。
【請求項４】
上記裏部品（２）と上記表て部品（３）と上記止めネジ（６）は全てプラスチックから成る請求項１，２又は３記載の草刈刃。
【考案の詳細な説明】
【技術分野】
【０００１】
本考案は、草刈刃に関するものである。
【背景技術】
【０００２】
従来の草刈刃は、外周に多数の歯部を有する金属製円板形状のものや、あるいは、回転盤からプラスチック線材が外径方向へ延伸して刈払刃を成すものが知られている。
【考案の開示】
【考案が解決しようとする課題】
【０００３】
上述の従来の草刈刃のうち、金属製円板形状のものは、木や太い草の刈払いに適しているが、草むらに小石・小金属片等の固体物が紛れ込んでいると周囲に高速で飛散させてしまい、作業者等には非常に危険である。一方、プラスチック線材を有する草刈刃を用いる場合、草むらに固体物が紛れていても飛散させる危険は小さいのでこのような場所における刈払作業には適しているが、木や太い草等を効率よく刈払うのは難しい。このように、作業場所の状況に応じて適した草刈刃に交換することになるのであるが、作業しながら交換するのは手間が掛かる。しかも、金属製円板形状の草刈刃と、プラスチック線材を有する回転盤とを各々用意するのは、コスト面でも無駄である。
そこで、本考案は、刈払場所の状況に応じて、金属製円板形状のものと、線材のものとに容易に切換えて使い分けることができる草刈刃を提供することを目的とする。
【課題を解決するための手段】
【０００４】
上記の目的を達成するために、本考案に係る草刈刃は、多数の貫孔を有する金属製円板刃を備え、該円板刃の上記貫孔に一部分を挿入して固着される取着具を介して、所定長さのプラスチック製刈払線材を、上記円板刃の外周から外径方向へ突出状として着脱自在に取着したものである。
【０００５】
また、本考案に係る草刈刃は、多数の貫孔を有する金属製円板刃を備え、該円板刃の上記貫孔に一部分を挿入して固着される取着具を介して、所定長さのプラスチック製刈払線材を、上記円板刃の外周から外径方向へ突出状として着脱自在に取着するように構成され、上記取着具は、上記円板刃の裏面と表て面に当接する裏部品と表て部品を有し、かつ、上記円板刃の近接した２個の上記貫孔に挿入される位置決め突出部が、上記裏部品と表て部品のいずれか一方に突設され、他方には該突出部が挿入される凹窪部が凹設され、さらに、上記取着具は、上記突出部と該凹窪部を貫通状として上記裏部品と表て部品とを相互に螺着する止めネジを有し、上記表て部品に上記刈払線材が取着されたものである。
【０００６】
また、本考案に係る草刈刃は、多数の貫孔を有する金属製円板刃を備え、該円板刃の上記貫孔に一部分を挿入して固着される取着具を介して、所定長さのプラスチック製刈払線材を、上記円板刃の外周から外径方向へ突出状として着脱自在に取着するように構成され、上記取着具は、上記円板刃の裏面と表て面に当接する裏部品と表て部品を有し、かつ、上記円板刃の近接した２個の上記貫孔に挿入される位置決め突出部が、上記裏部品と表て部品のいずれか一方に突設され、他方には該突出部が挿入される凹窪部が凹設され、さらに、上記取着具は、該突出部と凹窪部を貫通状として上記裏部品と表て部品とを相互に螺着する止めネジを有し、さらに、上記表て部品は、上記刈払線材を抜き差し自在に差込む保持孔が上記外径方向に貫設され、かつ、該刈払線材は、上記表て部品の該保持孔に挿入状態で該表て部品に係止して回転遠心力に対し外径方向へ離脱するのを防ぐ膨出部を、基端に有し、そして、上記表て部品に上記刈払線材が取着されたものである。
そして、上記裏部品と上記表て部品と上記止めネジは全てプラスチックから成る。
【考案の効果】
【０００７】
本考案は、次のような著大な効果を奏する。
本考案に係る草刈刃は、多数の貫孔を有する金属製円板刃を備え、円板刃の貫孔に一部分を挿入して固着される取着具を介して、所定長さのプラスチック製刈払線材を、円板刃の外周から外径方向へ突出状として着脱自在に取着したものなので、刈払線材を円板刃に取着すれば、小石・小金属片等の固体物が紛れ込んだ草むらであっても、飛散させずに刈払作業でき、作業者等に対する危険が少ない。また、刈払線材を取り外せば、金属製円板刃の歯部によって刈払作業でき、木や太い草を刈る場合に適している。このように、金属製円板刃の歯部による刈払いと、刈払線材による刈払いとに容易に切換えて、草刈刃を使用場所の状況に応じて使い分けることができる。しかも、円板刃を草刈機の操作杆等に取付けた状態で、刈払線材の着脱を行うことができるので、容易に素早く切換えられ、手間が掛からない。
【考案を実施するための最良の形態】
【０００８】
以下、実施の形態を示す図面に基づき、本考案を詳説する。
図１〜図３に示したように、本考案に係る草刈刃の実施の一形態は、多数の貫孔７…を有する金属製円板刃４と、所定長さの２本のプラスチック製刈払線材５，５とを備える。円板刃４は、円板状の基体部13の外周に多数の歯部14…を一体に有する。また、基体部13には、多数の貫孔７…が、基体部13の内径側から外径側にかけて次第に孔径が大きくなるように、全体的に均等な配列（間隔）で設けられている。つまり、同じ孔径の複数の貫孔７…が周方向に所定間隔で配設されたものが、内外方向に複数列形成されると共に、貫孔７…の孔径が、内径方向へと次第に小さくなるように形成されている。各歯部14には超鋼チップ刃がロウ付けされている。
そして、刈払線材５は、円板刃４の貫孔７に一部分を挿入して固着される取着具１を介して、円板刃４の外周から外径方向Ｒへ突出状として着脱自在に取着される。
【０００９】
取着具１は、円板刃４の裏面４ａと表て面４ｂに当接する裏部品２と表て部品３を有する。そして、円板刃４の近接した２個の貫孔７，７に挿入される位置決め突出部８，８が、裏部品２と表て部品３のいずれか一方に突設され、かつ、他方には突出部８，８が挿入される凹窪部９，９が凹設される。さらに、取着具１は、突出部８と凹窪部９を貫通状として裏部品２と表て部品３とを相互に螺着する止めネジ６を有する。
各部材について具体的に説明する。
先ず、図４，図５に於て、裏部品２は、円板刃４の裏面４ａに当接する当て板部20と、当て板部20に上方へ突設され円板刃４の２つの近接した貫孔７，７に下方から嵌合する２つの位置決め突出部（円筒部）８，８とを一体に有する。２つの位置決め突出部８，８は、円板刃４の近接した２個の貫孔７，７に対応した位置において隙間無く挿入可能な外径寸法を有するように設定される。突出部８，８は、円板刃４の多数の貫孔７…のうち同じ孔径を有し周方向に近接した２個の貫孔７，７に嵌合される。なお、本実施例では、突出部８，８が、円板刃４の外径側から２列目（２番目に大きな孔径）の貫孔７…のうちの２つの貫孔７，７に嵌合するように形成されているが、どの大きさの貫孔７，７に嵌合可能となるように形成されるかは自由である。また、各突出部８の孔（内周面）21は、当て板部20の裏面に間接されている。また、孔21の内径は、後述の止めネジ６のネジ部６ｂの外径よりも小さく設定されており、止めネジ６は孔21に食い込みながらねじ込まれる。裏部品２は、当て板部20及び両突出部８，８をプラスチックから一体形成したものである。
【００１０】
次に、表て部品３は、プラスチックから平面視略楕円形の板状に形成され、裏部品２の突出部８，８に対応して凹設されこの突出部８，８が下方から挿入される凹窪部９，９と、凹窪部９，９の奥部（上面）から段差部をもって縮径して上方へ貫設されたネジ挿通孔31，31とが形成されている。また、表て部品３の上面には、後述の止めネジ６の頭部６ａを収納するための２つの収納凹部32，32が凹設され、各収納凹部32の底面と凹窪部９とは、ネジ挿通孔31にて連続している。各凹窪部９の内径寸法は、裏部品２の突出部８の外径寸法よりも僅かに大きく形成され、凹窪部９と、挿入された突出部８との間に、後述する接着剤充填用の空隙が形成される。また、ネジ挿通孔31は、止めネジ６のネジ部６ｂが挿入可能な内径寸法を有する。
また、表て部品３は、刈払線材５を抜き差し自在に差込む保持孔33が外径方向Ｒに貫設されている。保持孔33は、２つの凹窪部９，９の中間に配設され、かつ、２つの凹窪部９，９が成す方向（円板刃４の周方向）と直交方向に貫設されている。保持孔33の内径寸法は、刈払線材５が略隙間無く差込まれるように設定される。また、保持孔33の外径方向Ｒ端部が、（図３に示すように）周方向へ両側に拡開するテーパアール状に形成されている。これによって、刈払線材５が（応力集中によって）折損することを、有効防止できる。
【００１１】
次に、止めネジ６は、硬質プラスチックから成るタッピングネジであり、そのネジ部６ｂは、表て部品３のネジ挿通孔31を通して、裏部品２の孔21にねじ込まれて、当て板部20の裏面と略同一面状乃至僅かに突出する。
【００１２】
次に、図１，図３，図５に示したように、プラスチック製刈払線材５は、表て部品３の保持孔33に挿入状態で表て部品３に係止して回転遠心力に対し外径方向Ｒへ離脱するのを防ぐ膨出部15を、基端５ａに有する。膨出部15は、線材部の基端５ａを小段差部をもって拡径して円柱状に一体に形成したり、あるいは、円柱状の別部材を基端５ａに固着したものである。形状は円柱形状に限られず球状等でも良い。
【００１３】
次に、本考案の草刈刃の使用方法について説明する。
先ず、図１に示したように、円板刃４に２つの取着具１，１を、回転軸心Ｌに対して略反対位置に取付ける。
具体的には、図４に於て、各取着具１の裏部品２の突出部８，８を、円板刃４の２つの近接した貫孔７，７に下方から嵌合させる。そして、円板刃４の表て面４ｂから突出した裏部品２の突出部８，８の外周に接着剤を付けて、表て部品３の２つの凹窪部９，９を突出部８，８に外嵌させて、表て部品３と裏部品２とで円板刃４を挟持させる。そして、止めネジ６を、表て部品３のネジ挿通孔31を通しつつ、裏部品２の孔21に食い込ませながらねじ込む。図５に示したように、止めネジ６の頭部６ａが表て部品３の収納凹部32に当接するまでねじ込めば、円板刃４に取着具１の取付完了である。このように、裏部品２と表て部品３は、突出部８と凹窪部９が接着剤を介して嵌合され、かつ、止めネジ６で螺着されているので、取着具１は非常に強固に円板刃４に取付けられており、刈払作業中に離脱することがない。仮に、万一取着具１が離脱した場合に、各構成品はプラスチックであるので、比重も小さく、硬度も低く、危険性は低い。
【００１４】
そして、この円板刃４を、図示省略の刈払機の操作用杆の先端の回転部に取付ける。そして、円板刃４の歯部14…で直接刈払作業を行うことで、木や太い草の群生した草むらを刈り払うことが可能となる。
しかし、草むらに小石・小金属片等の固体物が紛れ込んでいる場合、円板刃４の歯部14…が周囲に高速で飛散させる虞れがあり非常に危険である。図３に示したように、刈払線材５を、各取着具１の表て部品３の保持孔33に内径側から差込む。そして、膨出部15を、図１に示したように、表て部品３に係止させればセット完了である。
そして、円板刃４の回転に伴い、刈払線材５，５は遠心力を受けて、膨出部15が取着具１に係止した状態に保たれるので、刈払作業中に、刈払線材５が取着具１から離脱することはない。刈払線材５，５によれば、固体物の飛散が極力抑えられて安全である。また、この刈払線材５，５によって柵や建物や石垣近傍の狭小な場所でも刈払作業が可能である。
【００１５】
さらに、円板刃４の歯部14…にて刈払作業をしたい場合は、取着具１，１から刈払線材５，５を抜きさればよい。このように、草刈刃の使用場所の状況に応じて刈払線材５，５を着脱して、使い分けを行う。
また、取着具１を成す各部材は全てプラスチックから形成されるので、円板刃４の回転中に取着具１が万一破損して破片が飛散しても、金属片よりも比重も小さく、硬度も低いので危険が少ない。
【００１６】
以上のように、本考案に係る草刈刃は、多数の貫孔７を有する金属製円板刃４を備え、円板刃４の貫孔７に一部分を挿入して固着される取着具１を介して、所定長さのプラスチック製刈払線材５を、円板刃４の外周から外径方向Ｒへ突出状として着脱自在に取着したものなので、刈払線材５，５を円板刃４に取着すれば、小石・小金属片等の固体物が紛れ込んだ草むらであっても、飛散させずに刈払作業でき、作業者等に対する危険が少ない。また、刈払線材５，５を取り外せば、金属製円板刃４の歯部14…によって刈払作業でき、木や太い草を刈る場合に適している。このように、金属製円板刃４の歯部14…による刈払いと、刈払線材５による刈払いとに容易に切換えて、使用場所の状況に応じて使い分けることができる。しかも、円板刃４を操作杆に取付けた状態で、刈払線材５，５の着脱を行うことができるので、容易に素早く切換えることができ、手間が掛からない。
【００１７】
また、本考案に係る草刈刃は、多数の貫孔７を有する金属製円板刃４を備え、円板刃４の貫孔７に一部分を挿入して固着される取着具１を介して、所定長さのプラスチック製刈払線材５を、円板刃４の外周から外径方向Ｒへ突出状として着脱自在に取着するように構成され、取着具１は、円板刃４の裏面４ａと表て面４ｂに当接する裏部品２と表て部品３を有し、かつ、円板刃４の近接した２個の貫孔７，７に挿入される位置決め突出部８，８が、裏部品２と表て部品３のいずれか一方に突設され、他方には突出部８，８が挿入される凹窪部９，９が凹設され、さらに、取着具１は、突出部８と凹窪部９を貫通状として裏部品２と表て部品３とを相互に螺着する止めネジ６を有し、表て部品３に刈払線材５が取着されているので、刈払線材５，５を円板刃４に取着すれば、小石・小金属片等の固体物が紛れ込んだ草むらであっても、飛散させずに刈払作業でき、作業者等に対する危険が少ない。また、刈払線材５，５を取り外せば、金属製円板刃４の歯部14…によって刈払作業でき、木や太い草を刈る場合に適している。このように、金属製円板刃４の歯部14…による刈払いと、刈払線材５による刈払いとに容易に切換えて、使用場所の状況に応じて使い分けることができる。しかも、円板刃４を操作杆に取付けた状態で、刈払線材５，５の着脱を行うことができるので、容易に素早く切換えることができ、手間が掛からない。
しかも、表て部品３と裏部品２が、止めネジ６によって強固に円板刃４に取付けられるので、取着具１が刈払作業中に不意に離脱することがなく作業効率がよくなる。
【００１８】
また、本考案に係る草刈刃は、多数の貫孔７を有する金属製円板刃４を備え、円板刃４の貫孔７に一部分を挿入して固着される取着具１を介して、所定長さのプラスチック製刈払線材５を、円板刃４の外周から外径方向Ｒへ突出状として着脱自在に取着するように構成され、取着具１は、円板刃４の裏面４ａと表て面４ｂに当接する裏部品２と表て部品３を有し、かつ、円板刃４の近接した２個の貫孔７，７に挿入される位置決め突出部８，８が、裏部品２と表て部品３のいずれか一方に突設され、他方には突出部８，８が挿入される凹窪部９，９が凹設され、さらに、取着具１は、突出部８と凹窪部９を貫通状として裏部品２と表て部品３とを相互に螺着する止めネジ６を有し、さらに、表て部品３は、刈払線材５を抜き差し自在に差込む保持孔33が外径方向Ｒに貫設され、かつ、刈払線材５は、表て部品３の保持孔33に挿入状態で表て部品３に係止して回転遠心力に対し外径方向Ｒへ離脱するのを防ぐ膨出部15を、基端５ａに有し、そして、表て部品３に刈払線材５が取着されているので、刈払線材５，５を円板刃４に取着すれば、小石・小金属片等の固体物が紛れ込んだ草むらであっても、飛散させずに刈払作業でき、作業者等に対する危険が少ない。また、刈払線材５，５を取り外せば、金属製円板刃４の歯部14…によって刈払作業でき、木や太い草を刈る場合に適している。このように、金属製円板刃４の歯部14…による刈払いと、刈払線材５による刈払いとに容易に切換えて、使用場所の状況に応じて使い分けることができる。しかも、円板刃４を操作杆に取付けた状態で、刈払線材５，５の着脱を行うことができるので、容易に素早く切換えることができ、手間が掛からない。
しかも、表て部品３と裏部品２が、止めネジ６によって強固に円板刃４に取付けられるので、取着具１が刈払作業中に不意に離脱することがなく作業効率がよくなる。
しかも、刈払線材５を、各取着具１の表て部品３の保持孔33に内径側から差込むだけでセットできるので、取付・取外しが容易であり、作業を迅速に行い得る。しかも、円板刃４の回転に伴い、刈払線材５，５は遠心力を受けて、膨出部15が取着具１に係止した状態に保たれるので、刈払作業中に、刈払線材５が取着具１から離脱するのを防ぐことができる。
【００１９】
また、裏部品２と表て部品３と止めネジ６は全てプラスチックから成るので、円板刃４の回転中に取着具１が破損して飛散しても作業者等に対する危険が少なく安全である。
【図面の簡単な説明】
【００２０】
【図１】本考案に係る草刈刃の実施の一形態を示す平面図である。
【図２】要部拡大底面図である。
【図３】要部拡大平面図である。
【図４】説明用要部断面側面図である。
【図５】図１のＡ−Ａ拡大断面図である。
【符号の説明】
【００２１】
１  取着具
２  裏部品
３  表て部品
４  円板刃
４ａ  裏面
４ｂ  表て面
５  刈払線材
５ａ  基端
６  止めネジ
７  貫孔
８  位置決め突出部
９  凹窪部
15  膨出部
33  保持孔
Ｒ  外径方向
【図１】
0003125877.tif 000003
【図２】
0003125877.tif 000004
【図３】
0003125877.tif 000005
【図４】
0003125877.tif 000006
【図５】
0003125877.tif 000007